(57)【要約】      （修正有）【課題】サイコロの目を出す際の偶然性が高いサイコロ転がし装置を提供する。【解決手段】サイコロ転がし装置１は、上方に向けて開口する有底筒状のハウジング１２と、ハウジング１２の底部に設けられた複数のピン（第１および第２のピン２２、２４）を有する。また、サイコロ転がし装置１は、ピンが通される複数の貫通孔９が形成された平板部８を有し、ハウジング１２の内部に上下方向へ移動自在に収容されたサイコロステージ４を有する。サイコロ転がし装置１は、さらにサイコロステージ４を上方に付勢するばね部材３１と、平板部８を上方から覆うドーム状のカバー２と、カバー２とサイコロステージ４とによって囲まれた空間Ｓ１に収容されたサイコロとを備える。サイコロステージ４の移動範囲は、ピン２２、２４が貫通孔９を通って平板部８より上に突出する下限位置と、ピンが貫通孔９の中に収容される上限位置との間の範囲である。【選択図】図４
0003227880.tif 000002
【実用新案登録請求の範囲】
【請求項１】
上方に向けて開口する有底筒状に形成されたハウジングと、
前記ハウジングの底部に設けられ、上方に向けて突出する複数のピンと、
前記ピンが通される複数の貫通孔が形成された平板部を有し、前記ハウジングの内部に上下方向へ予め定めた移動範囲で移動自在に収容されたサイコロステージと、
前記ハウジングの前記底部と前記サイコロステージとの間に設けられて前記サイコロステージを上方に付勢するばね部材と、
前記平板部を上方から覆うドーム状に透明な材料によって形成され、前記サイコロステージに取付けられたカバーと、
前記カバーと前記サイコロステージとによって囲まれた空間に収容されたサイコロとを備え、
前記サイコロステージの前記移動範囲は、前記ピンが前記貫通孔を通って前記平板部より上に突出する下限位置と、前記ピンが前記貫通孔の中に収容される上限位置との間の範囲であることを特徴とするサイコロ転がし装置。
【請求項２】
請求項１記載のサイコロ転がし装置において、
前記複数のピンは、隣り合う前記ピンどうしの間隔が前記サイコロの幅より短くなるように並べられていることを特徴とするサイコロ転がし装置。
【請求項３】
請求項１または請求項２記載のサイコロ転がし装置において、
前記サイコロステージは、前記下限位置と前記上限位置との間で前記ハウジングに対して傾動可能であることを特徴とするサイコロ転がし装置。
【請求項４】
請求項１〜請求項３のいずれか一つに記載のサイコロ転がし装置において、
前記カバーは、前記サイコロステージに着脱可能に取付けられ、
前記ハウジングの下に前記サイコロを収納可能なケースが着脱可能に取付けられていることを特徴とするサイコロ転がし装置。
【考案の詳細な説明】
【技術分野】
【０００１】
本考案は、一定の場所でサイコロを転がすために使用するサイコロ転がし装置に関する。
【背景技術】
【０００２】
従来のサイコロ転がし装置としては、例えば特許文献１に記載されているものがある。特許文献１に開示されたサイコロ転がし装置は、サイコロが収容された箱体を瞬間的に跳ね上げる構成が採られている。このサイコロ転がし装置においては、箱体が急速に上昇して停止することによって、箱体内でサイコロが跳ね上がって転がり、サイコロの目を変えることができる。
【先行技術文献】
【特許文献】
【０００３】
【特許文献１】実開昭６０−７３５８４号公報
【考案の概要】
【考案が解決しようとする課題】
【０００４】
特許文献１に示すサイコロ転がし装置では、サイコロが箱体の底面に載置されている状態から急激に押し上げられて跳ね上がるから、サイコロを積極的に転がしてサイコロの目を変えることはできない。このため、サイコロの目を出すにあたって、偶然性を高くするにも限界があった。
【０００５】
本考案の目的は、サイコロの目を出す際の偶然性が高いサイコロ転がし装置を提供することを目的とする。
【課題を解決するための手段】
【０００６】
本考案に係るサイコロ転がし装置は、上方に向けて開口する有底筒状に形成されたハウジングと、前記ハウジングの底部に設けられ、上方に向けて突出する複数のピンと、前記ピンが通される複数の貫通孔が形成された平板部を有し、前記ハウジングの内部に上下方向へ予め定めた移動範囲で移動自在に収容されたサイコロステージと、前記ハウジングの前記底部と前記サイコロステージとの間に設けられて前記サイコロステージを上方に付勢するばね部材と、前記平板部を上方から覆うドーム状に透明な材料によって形成され、前記サイコロステージに取付けられたカバーと、前記カバーと前記サイコロステージとによって囲まれた空間に収容されたサイコロとを備え、前記サイコロステージの前記移動範囲は、前記ピンが前記貫通孔を通って前記平板部より上に突出する下限位置と、前記ピンが前記貫通孔の中に収容される上限位置との間の範囲であるものである。
【０００７】
本考案は、前記サイコロ転がし装置において、前記複数のピンは、隣り合う前記ピンどうしの間隔が前記サイコロの幅より短くなるように並べられていてもよい。
【０００８】
本考案は、前記サイコロ転がし装置において、前記サイコロステージは、前記下限位置と前記上限位置との間で前記ハウジングに対して傾動可能であってもよい。
【０００９】
本考案は、前記サイコロ転がし装置において、前記カバーは、前記サイコロステージに着脱可能に取付けられ、前記ハウジングの下に前記サイコロを収納可能なケースが着脱可能に取付けられていてもよい。
【考案の効果】
【００１０】
本考案によれば、ピンがサイコロを押し上げて転がすから、サイコロの目を出す際の偶然性が高いサイコロ転がし装置を提供することができる。
【図面の簡単な説明】
【００１１】
【図１】図１は、本考案に係るサイコロ転がし装置の斜視図である。
【図２】図２は、サイコロ転がし装置の斜め上方から見た分解斜視図である。
【図３】図３は、サイコロ転がし装置の斜め下方から見た分解斜視図である。
【図４】図４は、サイコロ転がし装置の斜め上方から見た断面図である。
【図５】図５は、サイコロステージの一部を拡大して示す斜視図である。
【図６】図６は、要部の断面図である。
【図７】図７は、要部の断面図である。
【図８】図８は、カバーが取外されたサイコロ転がり装置の平面図である。
【図９】図９は、ハウジングとケースの連結部分を示す斜視図である。
【図１０】図１０は、サイコロ転がし装置の断面図である。
【考案を実施するための形態】
【００１２】
以下、本考案に係るサイコロ転がし装置の一実施の形態を図１〜図１０を参照して詳細に説明する。
図１（Ａ）に示すサイコロ転がし装置１は、図１（Ａ）において最も上に描かれている透明なカバー２の中でサイコロ３｛図１（Ｂ）参照｝を転がしたり跳ねさせたりしてサイコロ３の目を出す装置である。図１（Ａ）はカバー２が取付けられている状態のサイコロ転がし装置１の斜視図、図１（Ｂ）はカバー２が取外された状態のサイコロ転がし装置１の斜視図である。図１（Ｂ）には１つのサイコロ３が図示されているが、サイコロ３の個数は適宜変更可能である。なお、図に示すサイコロ３は、目が描かれていないが、サイコロ３の目は、面毎の１つ〜６つの点や、絵柄や数字などでもよい。
【００１３】
カバー２は、透明なプラスチック材料によってドーム状に、言い換えれば中空の半球状に形成され、サイコロステージ４の上端部に着脱可能に取付けられている。カバー２の下端部を周方向に３等分する位置には、図２および図３に示すように、それぞれ掛止片５が突設されている。
サイコロステージ４は、下方に向けて開口する有底円筒状に形成されている。図４に示すように、サイコロステージ４の上端部６は、径が異なる二つの円筒部６ａ，６ｂと、これらの円筒部６ａ，６ｂの上端どうしを接続するリング部６ｃとを有する二重壁の構造が採られている。図４の破断位置は、図８中にIV−IV線によって示す位置である。
【００１４】
二つの円筒部６ａ，６ｂのうち、内側の円筒部６ａの内径は、カバー２の下端の外周部が嵌合可能な径である。この内側の円筒部６ａと、リング部６ｃとには、カバー２の掛止片５を挿入するための切り欠き７（図５参照）が形成されている。この切り欠き７は、サイコロステージ４の周方向に延びており、掛止片５が上下方向に通過可能な出入口部７ａと、掛止片５がサイコロステージ４の周方向に移動可能な掛止部７ｂとを有している。カバー２をサイコロステージ４に固定するためには、先ず、掛止片５を上方から出入口部７ａに挿入する。そして、カバー２をサイコロステージ４に対して周方向に回し、掛止片５を掛止部７ｂ内に挿入する。このように掛止片５が掛止部７ｂに移動することによって、カバー２がサイコロステージ４に固定される。カバー２をサイコロステージ４から取外す際は、上記とは逆の動作によって行うことができる。
【００１５】
サイコロステージ４の上端部であって内側の円筒部６ａより径方向の内側には、円板状の平板部８が設けられている。この平板部８は、サイコロ３が転がったり跳ねたりする部分で、カバー２によって上方から覆われている。サイコロ３は、カバー２とサイコロステージ４とによって囲まれた空間Ｓ１（図４参照）に収容されている。平板部８には、図１（Ｂ）に示すように、複数の貫通孔９が形成されている。貫通孔９の開口形状は、上方から見て円形である。
平板部８の下面であって中央部には、図３に示すように、円筒１０が突設されている。また、平板部８の下面であって外周部には、３つの筒状軸１１が突設されている。これらの筒状軸１１は、平板部８を周方向に３等分する位置にそれぞれ設けられており、図４に示すように、後述するハウジング１２に設けられている筒状体１３の中に上方から挿入されている。筒状軸１１は、筒状体１３に対して水平方向に僅かに移動できるように、筒状体１３に遊嵌状態で挿入されている。
【００１６】
図４に示す筒状軸１１の先端部には、ねじ部材１４がねじ込まれている。このねじ部材１４は、筒状体１３の上端部に下方から対向する板１４ａを有し、筒状軸１１が筒状体１３から上方に外れることを規制している。サイコロステージ４は、このように筒状軸１１が筒状体１３に移動自在に保持されることによって、ハウジング１２に上下方向へ移動自在に支持されている。サイコロステージ４は、図６に示すように、ねじ部材１４の板１４ａが筒状体１３の上端部に当接する上限位置と、図７に示すように、平板部８が筒状体１３の上端に当接する下限位置との間の移動範囲でハウジング１２に対して上下方向に移動自在である。すなわち、サイコロステージ４は、ハウジング１２の内部に上下方向へ予め定めた移動範囲で移動自在に収容されている。
【００１７】
ハウジング１２は、図２に示すように、上方に向けて開口する有底円筒状に形成されている。ハウジング１２の内径は、サイコロステージ４の外径より大きい。このため、ハウジング１２の内周面とサイコロステージ４の外側の円筒部６ｂとの間には、所定の隙間ｄ（図４参照）が形成されている。
ハウジング１２の底部には、上述した筒状体１３が突設されている。筒状体１３は、筒状軸１１と対応するように、ハウジング１２を周方向に３等分する位置にそれぞれ設けられている。これらの筒状体１３によって囲まれた範囲には、上方から見て６角形状の支持座１５が設けられている。この支持座１５は、ハウジング１２の底部に後述するピン部材２１の板状部２１ａを載置するためのものである。
【００１８】
ピン部材２１は、図２および図３に示すように、円板状を呈する板状部２１ａと、この板状部２１ａの上に突設された複数の第１のピン２２と、板状部２１ａの中央部に開口する環状凹部２３と、環状凹部２３の中心部に突設された１本の第２のピン２４とを有している。第１および第２のピン２２，２４は、それぞれ上方から見て円形に形成されている。第２のピン２４は、第１のピン２２より太く形成されている。
【００１９】
板状部２１ａの外周部であって、この外周部を周方向に３等分する位置には、ハウジング１２の筒状体１３を通すための切り欠き２５がそれぞれ形成されている。
この実施の形態によるピン部材２１は、ハウジング１２の底部に載置された状態で、板状部２１ａを上下方向に貫通する複数の固定用ねじ２６によってハウジング１２に固定されている。
【００２０】
第１および第２のピン２２，２４は、サイコロステージ４が上述した上限位置から下限位置に移動することによってそれぞれサイコロステージ４の貫通孔９を通って平板部８の上に突出するように配置されている。なお、貫通孔９の孔径は、第１および第２のピン２２，２４が遊嵌状態で挿入されるように、第１および第２のピン２２，２４の外径より所定の寸法だけ大きい。第２のピン２４は第１のピン２２より太く形成されているために、第２のピン２４が挿入される貫通孔９は、他の貫通孔９より孔径が大きくなるように形成されている。
【００２１】
第１および第２のピン２２，２４の長さは、図７に示すように、サイコロステージ４が下限位置に位置している状態で平板部８の上に高さＨ１だけ突出する長さである。この実施の形態においては、高さＨ１は、サイコロ３の全高さＨ２（図６参照）の約１／２となる高さである。サイコロステージ４が上限位置に位置している状態においては、図６に示すように、第１および第２のピン２２，２４が貫通孔９の中に収容される。
【００２２】
貫通孔９と第１および第２のピン２２，２４は、図８に示すように、上方から見てサイコロステージ４の平板部８上にサイコロ３の専有面積より広い空きスペースが生じることがないように配設されている。すなわち、第１および第２のピン２２，２４は、隣り合うピンどうしの間隔Ｌ１がサイコロ３の幅Ｄより短くなるように並べられている。また、平板部８の径方向外側の端部に位置する第１のピン２４とサイコロステージ４の内側の円筒部６ａとの間の間隔Ｌ２もサイコロ３の幅Ｄより短い。このため、第１および第２のピン２２，２４が平板部８から突出することにより、サイコロ３が平板部８上の位置に依存することなく少なくとも１本の第１または第２のピン２２，２４によって押し上げられる。このとき、サイコロ３は、サイコロ３の重心の真下を１本のピンで押し上げるような希な場合を除いて、傾斜しながら押し上げられる。
【００２３】
ピン部材２１の中央部の環状凹部２３には、図４に示すように、圧縮コイルばねからなるばね部材３１の下端部が挿入されている。ばね部材３１の上端部は、サイコロステージ４の円筒１０の中に収容されている。ばね部材３１は、環状凹部２３の底と、サイコロステージ４の平板部８の下面との間に圧縮状態で挿入されている。このため、サイコロステージ４は、ばね部材３１のばね力によって上方に付勢され、ねじ部材１４の板１４ａが筒状体１３に当接して上方への移動が規制される上限位置に保持される。
【００２４】
ハウジング１２の底部には、ケース３２が着脱可能に取付けられている。このケース３２は、上方に向けて開口する有底円筒状に形成され、サイコロ３や他の物品（図示せず）などを収納可能な収納スペースＳ２を有している。ここでいう他の物品とは、例えば、図示していないサイコロゲームに使用するカードの束を含む。
ケース３２の上端部には、図２に示すように、ケース３２をハウジング１２に取付けるための複数の掛止片３３が突設されている。掛止片３３は、ケース３２の上端部から上方に突出しており、ハウジング１２の底に形成された環状溝３４（図３参照）に挿入できるように形成されている。
【００２５】
環状溝３４内は、図３に示すように、３枚の仕切板３５によって３つに分断されている。図９に示すように、環状溝３４の外周側の溝壁３４ａが仕切板３５と接する箇所において、周方向に延びる突起３６が設けられている。ケース３２の掛止片３３は、ケース３２の内周部から上方に突出している。掛止片３３の上端は、ケース３２の径方向の外側に向けて延びる連結板３７によって形成されている。この連結板３７は、掛止片３３が環状溝３４の中に挿入された状態で掛止片３３が仕切板３５に向かって進むようにケース３２がハウジング１２に対して周方向に回されることによって、突起３６の上に載る状態で突起３６と重なるように構成されている。このように連結板３７が突起３６と重なることによって、ケース３２がハウジング１２に固定される。ケース３２をハウジング１２から取外すためには、上記とは逆に連結板３７が突起３６から外れるようにケース３２をハウジング１２に対して回して行う。
【００２６】
このように構成されたサイコロ転がし装置１を使用するためには、先ず、使用者（図示せず）が手でカバー２を下方に押す。カバー２が下方に押されると、サイコロステージ４がばね部材３１のばね力に抗してハウジング１２に対して下がる。このとき、複数の第１のピン２２と第２のピン２４とが平板部８の上に突出し、少なくとも１本の第１または第２のピン２２，２４によってサイコロ３が押し上げられる。サイコロ３は、第１または第２のピン２２，２４によって押し上げられることによりバランスを崩して傾くようになる。
【００２７】
そして、使用者が手をカバー２から離すことにより、サイコロステージ４がばね部材３１のばね力で急速に上昇し、ねじ部材１４が筒状体１３に当接することにより急停止する。このサイコロステージ４の急上昇と急停止からなる動作が行われることにより、サイコロ３が平板部８上で転がったり、跳ね上がったりする。サイコロ３の転動や跳ね上がりは、カバー２を押し下げる動作を急速に行った場合にも起こる。このようにサイコロ３が転がったり跳ねたりして姿勢を変えることにより、新しいサイコロ３の目を出すことができる。
したがって、この実施の形態によれば、第１または第２のピン２２，２４がサイコロ３を押し上げて転がすから、サイコロ３の目を出す際の偶然性が高いサイコロ転がし装置を提供することができる。
【００２８】
この実施の形態による第１および第２のピン２２，２４は、隣り合うピンどうしの間隔Ｌ１がサイコロ３の幅Ｄより短くなるように並べられている。このため、サイコロ３を第１または第２のピン２２，２４によって必ず押すことができるから、サイコロ３を確実に倒すことができ、サイコロ３の目が出るときの偶然性がより一層高くなる。
【００２９】
この実施の形態による貫通孔９は、第１および第２のピン２２，２４が遊嵌状態で挿入されるように形成され、ハウジング１２の筒状体１３は、筒状軸１１が遊嵌状態で挿入されるように形成されている。この構成を採ることにより、図１０に示すように、サイコロステージ４は、下限位置と上限位置との間でハウジング１２に対して傾動可能である。図１０に示すサイコロステージ４は、ハウジング１２に対して右下がりとなるように傾斜している。図１０の破断位置は、図４中にIV−IV線で示す位置である。このようにサイコロステージ４が傾斜すると、サイコロ３を斜めに押して転がすことが可能になるから、サイコロ３の目が出るときの偶然性が更に高くなる。
【００３０】
この実施の形態によるカバー２は、サイコロステージ４に着脱可能に取付けられている。また、ハウジング１２の下にサイコロ３を収納可能なケース３２が着脱可能に取付けられている。このため、使用するサイコロ３の数を増やしたり減らすときにサイコロ３をケース３２から取り出してサイコロステージ４に移したり、サイコロステージ４上の余剰のサイコロ３をケース３２に収納することができる。このため、使用するサイコロ３の数を簡単に変えることができるし、使用しないサイコロ３を紛失することもない。ケース３２内には、サイコロ３の他に、あるいはサイコロ３の代わりに、例えば図示していないサイコロゲームに使用するカードの束を収納することができる。このようにカードの束をケース３２内に収納することにより、サイコロゲームのカードをサイコロ転がし装置１と共に持ち運ぶことが可能になる。
【符号の説明】
【００３１】
１…サイコロ転がし装置、２…カバー、３…サイコロ、４…サイコロステージ、８…平板部、９…貫通孔、１２…ハウジング、２２…第１のピン、２４…第２のピン、３１…ばね部材、３２…ケース。
【図１】
0003227880.tif 000003
【図２】
0003227880.tif 000004
【図３】
0003227880.tif 000005
【図４】
0003227880.tif 000006
【図５】
0003227880.tif 000007
【図６】
0003227880.tif 000008
【図７】
0003227880.tif 000009
【図８】
0003227880.tif 000010
【図９】
0003227880.tif 000011
【図１０】
0003227880.tif 000012